【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
インダクタを備え、複数の出力それぞれにおいて独立した調節電圧を供給するように動作可能な単一インダクタ・マルチ出力電圧レギュレータの制御回路であって、
各出力を前記インダクタの第１のインダクタ端子に対して選択的に接続する出力スイッチと、
第１の動作状態において、各出力が各接続継続時間にわたって前記第１のインダクタ端子に周期的に接続されることにより、当該出力において前記調節電圧を生成するように、複数のスイッチング周期において前記出力スイッチを制御するように動作可能なコントローラであり、前記接続継続時間がそれぞれ、前記出力のうちの少なくとも第１の出力において、早期スイッチング周期にサンプリングされた少なくとも１つの履歴電圧値に依存する、コントローラと、
を備えた、制御回路。
【請求項２】
前記コントローラが、
前記出力のうちの前記第１の出力において、複数の早期スイッチング周期にわたってサンプリングされた履歴誤差電圧値の移動平均として平均電圧値を決定することと、
少なくとも前記平均電圧値に基づいて、前記接続継続時間を決定することと、
を行うように動作可能である、請求項１に記載の制御回路。
【請求項３】
前記コントローラが、
各出力において、複数の早期スイッチング周期にわたってサンプリングされた履歴誤差電圧値の移動平均として当該出力の平均電圧値を決定することと、
前記平均電圧値それぞれに基づいて、前記接続継続時間を決定することと、
を行うように動作可能である、請求項２に記載の制御回路。
【請求項４】
前記コントローラが、各出力の前記接続継続時間が当該出力に対応する前記平均電圧値から決定されるように動作可能である、請求項３に記載の制御回路。
【請求項５】
前記コントローラが、各出力について、当該出力の前記平均電圧値と最も新しくサンプリングされた誤差電圧値との比較に基づいて当該出力での電圧を制御するフィードバック制御ループのシステム帯域幅を制御するように動作可能である、請求項２〜４のいずれか一項に記載の制御回路。
【請求項６】
前記コントローラが、各出力について、前記平均電圧値と前記出力に対応する前記最も新しくサンプリングされた誤差電圧値との前記比較を使用することにより、誤差関数係数を決定するように動作可能であり、前記係数が適用される前記誤差関数が、前記対応する出力における前記最も新しくサンプリングされた誤差電圧に依存する、請求項５に記載の制御回路。
【請求項７】
各誤差関数係数が、１次無限インパルス応答フィルタを前記対応する誤差関数に重ね合わせる、請求項６に記載の制御回路。
【請求項８】
前記コントローラが、スイッチング周期ごとに反復して、各誤差関数係数を更新するように動作可能であり、前記更新が、
前記対応する出力における前記最も新しくサンプリングされた誤差電圧の大きさが、当該出力の前記平均電圧値の大きさを上回る場合、前記誤差関数係数をインクリメントすることと、
前記対応する出力における前記最も新しくサンプリングされた誤差電圧の大きさが、当該出力の前記平均電圧値の大きさを下回る場合、前記誤差関数係数をデクリメントすることと、あるいは
前記誤差関数係数をその現在値に維持することと、
を備える、請求項６または７に記載の制御回路。
【請求項９】
前記コントローラが、
前記電圧レギュレータがロック状態にあるかを判定することと、
前記ロック状態が有効であるかを判定することと、
前記ロック状態が無効である場合、各代替電圧レギュレータを用いて前記出力のうちの１つまたは複数を提供することと、
を行うように動作可能である、請求項１〜８のいずれか一項に記載の制御回路。
【請求項１０】
前記電圧レギュレータが、各出力の平均電圧値が所定数のスイッチング周期にわたって変化を示さない場合、ロック状態にあると判定される、請求項９に記載の制御回路。
【請求項１１】
前記ロック状態が有効であるかを判定することが、各出力における出力電圧がそれぞれ所望のレベルであるかを判定することを備え、各代替電圧レギュレータを用いて前記出力のうちの１つまたは複数を提供する前記ステップが、各代替電圧レギュレータを用いて、所望のレベルにないと判定された電圧を有する出力を提供することを備える、請求項９または１０に記載の制御回路。
【請求項１２】
前記コントローラが、前記出力のうちの１つを優先出力として指定するように動作可能であり、前記優先出力が、その対応する接続継続時間の少なくとも第１の部分が最初に計算される出力であり、前記コントローラが、前記優先出力の指定が前記出力のうちの異なる出力へと周期的に切り替えられるようにさらに動作可能である、請求項１〜１１のいずれか一項に記載の制御回路。
【請求項１３】
前記優先出力の指定が、前記出力それぞれの周りで回されるように動作可能である、請求項１２に記載の制御回路。
【請求項１４】
前記コントローラが、前記優先出力がスイッチング周期において前記第１のインダクタ端子に最初に接続されるように、前記出力スイッチを制御するように動作可能である、請求項１２または１３に記載の制御回路。
【請求項１５】
前記コントローラが、Ｎ回のスイッチング周期ごとに前記優先出力を切り替えるように動作可能であり、Ｎが所定の数である、請求項１２〜１４のいずれか一項に記載の制御回路。
【請求項１６】
各接続継続時間が、前記接続された対応する出力でエネルギーが前記インダクタにおいてそれぞれ格納および放出される充電フェーズおよび放電フェーズを備え、前記接続継続時間の前記第１の部分が、前記充電または放電フェーズを備える、請求項１２〜１５のいずれか一項に記載の制御回路。
【請求項１７】
前記接続継続時間の前記第１の部分が、前記充電フェーズを備える、請求項１６に記載の制御回路。
【請求項１８】
各接続継続時間が、前記接続された対応する出力でエネルギーが前記インダクタにおいてそれぞれ格納および放出される充電フェーズおよび放電フェーズを備える、請求項１〜１１のいずれか一項に記載の制御回路。
【請求項１９】
前記電圧レギュレータが、各出力において正の調節電圧を供給するように動作可能である、請求項１〜１８のいずれか一項に記載の制御回路。
【請求項２０】
１つまたは複数の中断状態において前記電圧レギュレータを制御するように動作可能であり、前記出力のうちの１つに関して、過電圧、過電流、ゼロ電流、または不足電圧状態が検出された場合に、その他の出力の前記接続継続時間がゼロに設定される、請求項１〜１９のいずれか一項に記載の制御回路。
【請求項２１】
前記出力スイッチを制御する有限状態機械を備えた、請求項１〜２０のいずれか一項に記載の制御回路。
【請求項２２】
少なくとも第１および第２の供給電圧を前記インダクタの第２のインダクタ端子に対して選択的に接続する入力スイッチをさらに備えた、請求項１〜２１のいずれか一項に記載の制御回路。
【請求項２３】
各出力において電圧をサンプリングするように動作可能な少なくとも１つのアナログ−デジタル変換器を備えた、請求項１〜２２のいずれか一項に記載の制御回路。
【請求項２４】
前記第１の動作状態に先立って、各出力における誤差電圧が周期的に比較され、最も大きな対応する誤差電圧を有する出力に充電優先度が割り当てられるスタートアップ状態において前記電圧レギュレータを制御するように動作可能であり、前記電圧レギュレータが、前記出力電圧のうちの少なくとも１つが所望のレベルに達するまで前記スタートアップ状態に維持される、請求項１〜２３のいずれか一項に記載の制御回路。
【請求項２５】
出力数が２に等しく、前記出力間に接続されたブリッジ・キャパシタをさらに備えた、請求項１〜２４のいずれか一項に記載の制御回路。
【請求項２６】
出力数が２より大きく、
少なくとも１つのブリッジ・キャパシタと、
ブリッジ・キャパシタ・スイッチと、
をさらに備え、
前記コントローラが、出力切り替え遷移において１８０°位相がずれた２つの出力間で前記ブリッジ・キャパシタを切り替えるように動作可能である、請求項１〜２４のいずれか一項に記載の制御回路。